(57)【要約】【課題】容積のあるプラスチック食品トレイの廃棄物を効率よく細断・破砕するための食品トレイ破砕器を提供する。【解決手段】食品トレイ破砕器は、挿入部３００と移動部２００と細断部１００とを有しており、細断部１００は、複数の切削刃１２１が設けられ、食品トレイ５００の深さに対応した所定の幅だけ水平方向に離間して配置された一対の回転軸１０１と１０２とを備えており、且つ、垂直方向には、更に、複数の切削刃１２１が設けられ、水平方向に離間して配置された一対の回転軸１０３と１０４とを備えており、一対の回転軸１０１と１０２の回転速度ω１とω２、及び、一対の回転軸１０４と１０３の回転速度ω１とω２が左右の回転軸１０１と１０２との間、及び、左右の回転軸１０４と１０３との間でそれぞれ異なっていて、複数の切削刃１２１により、容積のあるプラスチック食品トレイ５００をランダムに細断・破砕する。【選択図】図１
2018187588.tif 000002
【特許請求の範囲】
【請求項１】
容積のある食品トレイを細断・破砕するための食品トレイ破砕器であって、前記食品トレイ破砕器は、前記食品トレイを挿入する挿入部と、前記食品トレイを移動する移動部と、前記食品トレイを細断・破砕する細断部と、筐体部とを有しており、前記細断部は、複数の切削刃が設けられ、前記食品トレイの深さに対応した所定の幅だけ水平方向に離間して配置された一対の回転軸を備えており、且つ、垂直方向には、複数の切削刃が設けられ、前記食品トレイの深さに対応した所定の幅だけ水平方向に離間して配置された前記一対の回転軸が、複数組、配置されており、前記複数組の一対の回転軸の回転速度が、それぞれ、前記水平方向に離間した左右の回転軸で異なっていて、前記複数組の左右の回転軸に配置された前記複数の切削刃により、前記容積のある食品トレイをランダムに細断・破砕することを特徴とする食品トレイ破砕器。
【請求項２】
請求項１に記載された食品トレイ破砕器において、前記細断部の前記水平方向に離間して配置された一対の回転軸は、断面が多角形で、軸方向に複数の切断刃が取り付けられており、前記一対の回転軸の端に設けられた円形端部が前記筐体部にベアリングを介して回転可能に軸支されており、前記一対の回転軸の前記円形端部に設けられた異なった歯数を有する歯車が互いにかみ合って、前記一対の回転軸が異なった回転速度で回転して、前記一対の回転軸の前記複数の切削刃が前記食品トレイをランダムに細断・破砕することを特徴とする食品トレイ破砕器。
【請求項３】
請求項１又は請求項２のいずれかに記載された食品トレイ破砕器において、前記移動部は、断面が円形の一対の回転軸に、複数の穿刺針が取り付けられていて、前記一対の回転軸の一方の回転軸に連結した手動のハンドルを回転することにより、前記食品トレイの両側面を刺した複数の穿刺針を回転させて、前記食品トレイを前記細断部へ移動させることを特徴とする食品トレイ破砕器。
【発明の詳細な説明】
【技術分野】
【０００１】
本発明は、家庭内や事業所内で発生するプラスチック製の食品トレイの廃棄物を細断して容積を減少させる食品トレイ破砕器に関するものである。
【背景技術】
【０００２】
現在、様々な食品が、プラスチックや発泡スチロールのトレイに入って販売されている。これらの食品トレイの廃棄物は、家庭内や事業所内で、毎日、比較的大量に発生する。これらは、家庭内や事業所内で分別され、清掃局等により収集されて処理されるが、プラスチックや発泡スチロールの廃棄物は、軽量且つ容積が大きく、清掃局の集積場等でもこれらが山積した状態となることが多い。
【０００３】
家庭や事業所では、食品トレイの廃棄物をゴミ出しする前に破砕して容積を減らすことが望ましい。しかし、既存の業務用又は家庭用シュレッダーでは、プラスチックや発泡スチロール製の食品トレイ廃棄物のような嵩張った物の細断・破砕を適切に処理することは容易ではなかった。
【０００４】
特許文献１には、プラスチック食品トレイ蓋の切断カッターが記載されている。図７に示すように、切断カッターの躯体１には、一面がΩ状に開き切断部挿入口４が広がった形の円筒状空洞の切断部挿入路３と、該挿入路内部にΩ状溝の逆側から突き出し挿入方向に作用する切断刃２を設けられている。使用時には、折りたたまれることによって半筒状に丸まったプラスチック食品トレイの接合部を切断部挿入路３に挿入通過させることによって簡易に切断分離することができる。
【０００５】
しかしながら、特許文献１に記載された切断カッターは、プラスチック食品トレイ本体と蓋との接合部を切断分離するためのものであって、食品トレイの廃棄物を細断して容量を減らし、その後の廃棄処理を容易にするものではない。
【０００６】
また、特許文献２には、家庭や小規模事業所で、廃プラスチックをゴミだしする前にプラスチックトレイやペットボトル等の廃プラスチックを細断して減容するためのシュレッダーが記載されている。特許文献２に記載されたシュレッダーは、図８に示すように、廃プラスチックを投入して蓋を閉めた後、シュレッダーの電源を入れ、ペダル２４を踏むと、第二の押圧手段２０である第二の押圧プレート２１が回転カッターに向かって降下する。
【０００７】
また、廃プラスチックが即席面カップのようにかなり厚い場合は、ペダル１４を踏んで、第一の押圧手段１０である第一の押圧プレート１２を固定プレート１１に向かって傾動させる。これらの動作によって、廃プラスチックは、浮き上がることなく扁平に押圧されながら、回転カッターに送り込まれる。その後、回転カッターで短冊状に細断された破片は、仕切り板に導かれ、一方の収容箱内に回収される。
【０００８】
しかしながら、特許文献２に記載されたシュレッダーは、ペダルを踏んで、回転カッターに向かう廃プラスチックを、水平方向と上方から押圧して回転カッターに導入するものに過ぎない。回転カッターは従来の回転カッターと同様のものであって、容積のあるプラスチック食品トレイを効率よく細断・破砕することは容易ではない。
【先行技術文献】
【特許文献】
【０００９】
【特許文献１】特開２００５−６７７３８号公報
【特許文献２】特許５７７７３１２号公報
【発明の概要】
【発明が解決しようとする課題】
【００１０】
本発明が解決しようとする問題点は、従来のシュレッダーの回転カッターでは容積のあるプラスチック食品トレイを効率よく細断・破砕して容積を大幅に削減することができない点であり、本発明が解決しようとする課題は、容積のあるプラスチック食品トレイの廃棄物を効率よく細断・破砕するための食品トレイ破砕器を提供することである。
【課題を解決するための手段】
【００１１】
本発明は、容積のある食品トレイを細断・破砕するための食品トレイ破砕器であって、前記食品トレイ破砕器は、前記食品トレイを挿入する挿入部と、前記食品トレイを移動する移動部と、前記食品トレイを細断・破砕する細断部と、筐体部とを有しており、前記細断部は、複数の切削刃が設けられ、前記食品トレイの深さに対応した所定の幅だけ水平方向に離間して配置された一対の回転軸を備えており、且つ、垂直方向には、複数の切削刃が設けられ、前記食品トレイの深さに対応した所定の幅だけ水平方向に離間して配置された前記一対の回転軸が、複数組、配置されており、複数組の前記一対の回転軸の回転速度が、それぞれ、前記水平方向に離間した左右の回転軸で異なっていて、前記複数組の左右の回転軸に配置された前記複数の切削刃により、前記容積のある食品トレイをランダムに細断・破砕することを基も主要な特徴とする。
【発明の効果】
【００１２】
本発明の食品トレイ破砕器では、食品トレイを細断する細断部は、軸方向に複数の切断刃が設けられ、前記食品トレイの深さに対応した所定の幅だけ水平方向に離間して配置された複数組の一対の回転軸の回転速度が、水平方向に離間した左右の回転軸で異なっていて、前記複数の切断刃により、前記容積のあるプラスチック食品トレイをランダムに効率的に細断・破砕することができるという利点がある。
【図面の簡単な説明】
【００１３】
【図１】図１は食品トレイ破砕器の動作を示した断面図である。（実施例）
【図２】図２は食品トレイ破砕器の内部構造を示した斜視図である。（実施例）
【図３】図３は食品トレイ破砕器の切断刃の製造及び手順を示した説明図である。（実施例）
【図４】図４は食品トレイ破砕器の左側面図の歯車構造を示した説明図である。（実施例）
【図５】図５は食品トレイ破砕器の右側面図の移動用ハンドルと電動機を示した説明図である。（実施例）
【図６】図６は食品トレイ破砕器の正面図のタイマー及びスイッチと左右側面の構造を示した説明図である。（実施例）
【図７】図７はプラスチック食品トレイ蓋の切断カッターの説明図である。（従来例１）
【図８】図８は廃プラスチックを細断するシュレッダーの説明図である。（従来例２）
【発明を実施するための形態】
【００１４】
以下に、本発明の実施の態様について、添付の図１〜図６を用いて説明する。
【実施例】
【００１５】
図１は、本発明の食品トレイ破砕器の実施例の動作を示した断面図である。図１において、１００は細断部、１０１〜１０４は多角柱回転軸、１１１〜１１４は円柱端部、１２１は切断刃、１２２はボルト、１２３はナットを示している。
【００１６】
また、図１において、２００は移動部、２０１〜２０２は円柱回転軸、２１１〜２１２は円柱端部、２２１〜２２２は穿刺針、３００は挿入部、３０１は右挿入板、３０２は左挿入板、５００は食品トレイ、５０１は細断された食品トレイを示している。
【００１７】
図１において、細断部１００は、水平に配置された一対の多角柱回転軸１０１及び１０２を備えている。多角柱回転軸１０１及び１０２には、それぞれ、複数の切断刃１２１がボルト１２２とナット１２３を用いて固定されており、一対の多角柱回転軸１０１及び１０２が回転すると、複数の切断刃１２１の先端が、所定の幅だけ水平方向に離間して配置された一対の多角柱回転軸１０１及び１０２の間を移動する食品トレイ５００を切断する。
【００１８】
また、図１において、多角柱回転軸１０１及び１０２は、その円柱端部１１１〜１１２が食品トレイ破砕器の筐体部に回転可能に軸支されており、電動モータの回転力により、異なる回転速度ω１とω２で高速に回転し、複数の切断刃１２１の先端が食品トレイ５００にランダムに当接し、食品トレイ５００を効率的に細断・破砕する。
【００１９】
また、図１において、多角柱回転軸１０１及び１０２の垂直方向の下方には、同様に複数の切断刃１２１を備え、所定の幅だけ水平方向に離間して配置された一対の多角柱回転軸１０３及び１０４が設けられており、電動モータの回転力により、異なる回転速度ω２とω１で高速に回転し、複数の切断刃１２１の先端が食品トレイ５００にランダムに当接し、食品トレイ５００を更に効率的に細断・破砕する。
【００２０】
また、図１において、移動部２００は、水平に配置された一対の円柱回転軸２０１及び２０２を備えている。円柱回転軸２０１及び２０２には、それぞれ、複数の穿刺針２２１及び２２２が貫通固定されており、複数の穿刺針２２１及び２２２の先端は、移動する食品トレイの両側面を刺す。円柱回転軸２０１及び２０２の円柱端部２１１〜２１２は、食品トレイ破砕器の筐体部に回転可能に軸支されており、円柱端部２１２に連結した操作ハンドルを手動で回すと、一対の円柱回転軸２０１及び２０２が逆方向に回転し、食品トレイの両側面を刺している複数の穿刺針２２１及び２２２が逆方向に回転しながら移動する。
【００２１】
また、図１において、食品トレイ破砕器を動作させる際は、挿入部３０１の右挿入板３０１と左挿入板３０２との間から、食品トレイ５００を挿入し、移動部２００の操作ハンドルを回すと、移動部２００の一対の円柱回転軸２０１及び２０２に設けられた複数の穿刺針２２１及び２２２が食品トレイ５００を両側面から刺した状態て回転し、食品トレイ５００を手動により下方の細断部１００に向けて徐々に移動させることができる。
【００２２】
食品トレイ５００の先端側では、電動モータの回転力により、異なる回転速度ω１とω２で高速に回転する多角柱回転軸１０１及び１０２の複数の切断刃１２１の先端が食品トレイ５００にランダムに当接し、食品トレイ５００を効率的に細断・破砕する。
【００２３】
多角柱回転軸１０１及び１０２の下方には、更に、一対の多角柱回転軸１０３及び１０４が設けられており、電動モータの回転力により、異なる回転速度ω２とω１で高速に回転し、複数の切断刃１２１の先端が食品トレイ５００にランダムに当接し、食品トレイ５００を更に効率的に細断・破砕して、短冊状に細断された食品トレイ５０１を下方に排出する。
【００２４】
図１に示す実施例では、角柱回転軸１０１及び１０２の回転速度をω１及びω２とし、角柱回転軸１０３及び１０４の回転速度をω２及びω１として、ω１＜ω２のように設定しているが、一対の多角柱回転軸の左右の回転速度を異ならせ、且つ、移動する食品トレイの垂直方向で多角柱回転軸の回転速度が異なるように設定すれば良く、多角柱回転軸１０１〜１０４の回転速度は、多角柱回転軸１０１〜１０４の円形端部に連結する異なる歯数の歯車を選択することにより、容易に調節することができる。
【００２５】
図２は本発明の食品トレイ破砕器の実施例の内部構造を示した斜視図である。図２においては、図１と同様に、１００は細断部、１０１〜１０４は多角柱回転軸、１１１〜１１４は円柱端部、１２１は切断刃、１２２はボルト、１２３はナットを示している。
【００２６】
また、図２において、２００は移動部、２０１〜２０２は円柱回転軸、２１１〜２１２は円柱端部、２２１〜２２２は穿刺針、５００は食品トレイ、５０１は細断された食品トレイを示している。
【００２７】
また、図２において、食品トレイ５００を挿入し、移動部２００の操作ハンドルを回すと、移動部２００の一対の円柱回転軸２０１及び２０２に設けられた複数の穿刺針２２１及び２２２が食品トレイ５００の両側面を刺して手動で食品トレイ５００を下方に徐々に移動させることができる。
【００２８】
食品トレイ５００の先端側では、電動モータの回転力により、異なる回転速度ω１とω２で高速に回転する多角柱回転軸１０１及び１０２の複数の切断刃１２１の先端が食品トレイ５００にランダムに当接し、食品トレイ５００を効率的に細断・破砕する。
【００２９】
また、多角柱回転軸１０１及び１０２の下方には、更に、一対の多角柱回転軸１０３及び１０４が設けられており、電動モータの回転力により、異なる回転速度ω２とω１で高速に回転し、複数の切断刃１２１の先端が食品トレイ５００にランダムに当接して、食品トレイ５００を更に効率的に細断・破砕し、短冊状に細断された食品トレイ５０１を下方に排出する。
【００３０】
図３は本発明の食品トレイ破砕器の切断刃の製造及び手順の実施例を示した説明図である。図３において、１０１〜１０４は多角柱回転軸、１１１〜１１４は円柱端部、１２１は切断刃、１２２はボルト、１２３はナット、１２４は開口部、１２５は固定部を示している。
【００３１】
図３のステップ１（切断）において、例えば、鋏等の切断刃１２１を有する金属製品を分解したものを利用し、開口部１２４より先端を残して不要部分を切断する。次のステップ２（屈曲）において、切断刃１２１と開口部１２４との間を屈曲する。次のステップ３（捩り）において、屈曲した部分を捩って、切断刃１２１の刃先面の面方向と、開口部１２４を有する固定部１２５の面方向とが９０度ずれた配置になるように調整する。
【００３２】
図３の上記各ステップは、既存の鋏等を利用して、本発明に用いる切断刃１２１を成形加工する簡便な方法を示したものであるが、金属加工の既存技術を用いて、ステップ１〜３で得られる構造と同じ構造の切断刃１２１を金属加工成形により製作する方法、あるいは、鋳型を作成して鋳造加工する方法等を採用することも可能である。
【００３３】
次いで、図３の手順において、ステップ４（取付）を行う。ステップ４（取付）では、固定部１２５の開口部１２４にボルト１２２を取り付け、多角柱回転軸１０１〜１０４の貫通孔（図示せず）を通し、ボルト１２２の先端にナット１２３を取り付けて、多角柱回転軸１０１〜１０４の軸に垂直な対向する側面間で、切断刃１２１を締め付け固定する。
【００３４】
なお、図３のステップ４（取付）では、１つの切断刃１２１が取り付けられる例が示されているが、多角柱回転軸１０１〜１０４の軸方向に複数個の切断刃１２１を取り付けることができる。また、図２には、複数の切断刃１２１が対角上に１８０度異なる面に配置されて軸方向に揃うように配置される例が示されているが、これに代えて、複数の切断刃１２１を９０度ずつずれた面に配置することも可能であり、また、４角柱以外の多角柱を採用する場合には、更に異なる角度間で複数の切断刃１２１を配置することも可能である。
【００３５】
図４は本発明の食品トレイ破砕器の実施例の左側面図の歯車構造を示した説明図である。図４において、１００は細断部、１０１〜１０４は多角柱回転軸、１１０は電動回転軸、１１１〜１１４は円柱端部、１３０〜１３４はベアリング、１４０は電動歯車、１４１〜１４４は歯車、１６０は電動機タイマー、１７１は駆動スイッチ、２００は移動部、２０１〜２０２は円柱回転軸、２１１〜２１２は円柱端部、２２１〜２２２は穿刺針、２４１〜２４２は歯車、３００は挿入部、３０１は右挿入板、３０２は左挿入板、４００は筐体部、４０１は正面部、４０２は左側面部、４０３は裏面部を示している。
【００３６】
図４において、移動部２００では、円柱回転軸２０１〜２０２の円柱端部２１１〜２１２が、筐体部４００の左側面部４０２に回転可能に軸支されている。円柱端部２１１〜２１２には、それぞれ、歯車２４１〜２４２が設けられており、歯車２４１〜２４２の歯が互いに噛み合っていて、円柱回転軸２０１と円柱回転軸２０２とは互いに逆方向に回転する。
【００３７】
また、円柱回転軸２０１〜２０２には、それぞれ複数の穿刺針２２１〜２２２が設けられており、複数の穿刺針２２１〜２２２の先端が、挿入部から導入された食品トレイを両側面から穿刺し、円柱回転軸２０１〜２０２の回転に伴って、複数の穿刺針２２１〜２２２に穿刺・支持された食品トレイが、下方の細断部１００へと移動する。
【００３８】
また、図４において、細断部１００では、多角柱回転軸１０１〜１０４の円柱端部１１１〜１１４が、ベアリング１３１〜１３４により筐体部４００の左側面部４０２に回転可能に軸支されている。円柱端部１１１〜１１４には、それぞれ、歯車１４１〜１４４が設けられており、歯車１４１と歯車１４２の歯、及び歯車１４３と歯車１４４の歯は、それぞれ、互いに噛み合っていて、多角柱回転軸１０１と多角柱回転軸１０２は逆方向に回転し、多角柱回転軸１０３と多角柱回転軸１０４は逆方向に回転する。
【００３９】
また、歯車１４１と歯車１４２、及び歯車１４３と歯車１４４は、それぞれ、歯数が異なる（直径の異なる歯車）が選択されており、例えば、歯車１４１と歯車１４２は、逆方向に異なる回転速度ω１及びω２で回転し、歯車１４３と歯車１４４は、逆方向に異なる回転速度ω２及びω１で回転する。また、筐体部４００の左側面部４０２には、ベアリング１３０により電動回転軸１１０が回転可能に軸支されており、電動回転軸１１０には電動歯車１４０が設けられている。電動歯車１４０の歯は、歯車１４１の歯及び歯車１４３の歯と噛み合っており、また、歯車１４１の歯及び歯車１４３の歯とは、それぞれ、歯車１４１の歯及び歯車１４３の歯と噛み合っていて、電動回転軸１１０の回転により、水平及び垂直に配置された多角柱回転軸１０１〜１０４が高速に回転する。
【００４０】
図４において、筐体部４００の正面部４０１に設けられた電動機タイマー１６０で作動時間をセットし、駆動スイッチ１７１を押圧すると、電動回転軸１１０が回転して電動歯車１４０が回転する。そして、電動歯車１４０に連結した歯車１４１及び歯車１４３が同方向に回転する。また、歯車１４１に連結した歯車１４２が、歯車１４１と逆方向に異なる回転速度で回転し、歯車１４３に連結した歯車１４４が、歯車１４３と逆方向に異なる回転速度で回転する。
【００４１】
また、図４において、移動部２００の円柱回転軸２０１〜２０２には複数の穿刺針２２１〜２２２が設けられており、細断部１００の多角柱回転軸１０１〜１０４には、それぞれ、図１〜３に示す複数の切断刃１２１が設けられているため、筐体部４００の上部の挿入部３００から挿入された食品トレイ５００は、移動部２００の複数の穿刺針２２１〜２２２で両側面から穿刺・固定されて手動で徐々に下方に移動すると共に、下方の細断部１００では、異なる回転速度の左右の多角柱回転軸１０１及び１０２に設けられた複数の切断刃１２１により高速に、且つ、ランダムに細断・破砕され、更に、異なる回転速度の左右の多角柱回転軸１０３及び１０４に設けられた複数の切断刃１２１により高速に、且つ、ランダムに細断・破砕される。
【００４２】
図５は本発明の食品トレイ破砕器の実施例の右側面図の移動用ハンドルと電動機を示した説明図である。図５において、１００は細断部、１０１〜１０４は多角柱回転軸、１１０は電動回転軸、１１１〜１１４は円柱端部、１３１〜１３４はベアリング、１５０は電動機、１６０は電動機タイマー、１７２は停止スイッチ、２００は移動部、２０１〜２０２は円柱回転軸、２１１〜２１２は円柱端部、２２１〜２２２は穿刺針、２３０は連結腕、２３１は回転軸、２３２は回転つまみ、３００は挿入部、３０１は右挿入板、３０２は左挿入板、４００は筐体部、４０１は正面部、４０３は裏面部、４０４は右側面部を示している。
【００４３】
図５において、 移動部２００では、円柱回転軸２０１〜２０２の円柱端部２１１〜２１２が、筐体部４００の右側面部４０２に回転可能に軸支されており、図４に示すように、円柱回転軸２０１と円柱回転軸２０２は逆方向に回転する。円柱端部２１２には、連結腕２３０が連結され、連結腕２３０には、回転つまみ２３２が回転軸２３１により回転可能に設けられており、回転つまみ２３２を手で持って円柱回転軸２０２を手動で回転させて、挿入部３００から導入された食品トレイを、下方の細断部１００に徐々に移動させることができる。
【００４４】
細断部１００では、多角柱回転軸１０１〜１０４の円柱端部１１１〜１１４が、ベアリング１３１〜１３４により筐体部４００の左側面部４０２に回転可能に軸支されている。また、電動回転軸１１０は電動機１５０の回転軸と連結され、電動機１５０の動力により高速に回転する。食品トレイの細断・破砕が終了した場合には、電動機タイマー１６０により設定された作動時間の経過後に、食品トレイ破砕器の作動が停止する、あるいは、停止スイッチ１７２を押圧することにより、作動が停止する。
【００４５】
図６は本発明の食品トレイ破砕器の実施例の正面部の電動機タイマー、駆動スイッチ及び停止スイッチと、左右側面部の構造を示した説明図である。図６において、１１０は電動回転軸、１１１及び１１３は円柱端部、１４０は電動歯車、１４１〜１４３は歯車、１５０は電動機、１６０は電動機タイマー、１７１は駆動スイッチ、１７２は停止スイッチ、２１１は円柱端部、２３０は連結腕、２３１は回転軸、２３２は回転つまみ、２４１は歯車、３００は挿入部、３０１は右挿入板、４００は筐体部、４０１は正面部、４０２は左側面部、４０４は右側面部を示している。
【００４６】
図６において、筐体部４００の正面部４０１に設けられた電動機タイマー１６０により、作動時間を設定し、駆動スイッチ１７１を押圧すると、電動機１５０が駆動てし、電動回転軸１１０が回転し、電動回転軸１１０に設けられた電動歯車１４０と噛み合う歯車１４１と歯車１４３が回転して、円柱端部１１１及び１１３を有する多角柱回転軸が高速に回転する。また、歯車１４１と歯車１４３が回転することにより、これらと噛み合う歯車１４２と歯車１４４が高速に回転する。
【００４７】
そして、挿入部３００から食品トレイを導入し、移動部２００の回転つまみ２３２を持って円柱端部２１１を回転させると、歯車２４１が回転する。歯車２４１を回転させることにより、複数の穿刺針２２１〜２２２を備えた一対の円柱回転軸２０１〜２０２が回転し、複数の穿刺針２２１〜２２２により、両側面が刺された食品トレイを手動で細断部１００に向けて徐々に移動させることができる。
【００４８】
また、移動部２００による食品トレイの移動と同時に、細断部１００の歯車１４１と歯車１４３が回転していると、これらと異なる歯数の歯車１４２と歯車１４４が異なる回転速度で高速に回転し、食品トレイを複数の切断刃によりランダムに細断・破砕し、食品トレイの容積を効率的に減少させることができる。
【００４９】
食品トレイの細断・破砕が終了すると、電動機タイマー１６０により設定された作動時間の経過後、食品トレイ破砕器の作動が停止する、あるいは、停止スイッチ１７２を押圧することにより品トレイ破砕器の作動が停止する。食品トレイ破砕器で細断・破砕されたプラスチック食品トレイ廃棄物は、細断・破砕により容積が減少して取り扱いやすくなり、その後の廃棄物処理を容易に行うことができる。
【産業上の利用可能性】
【００５０】
本発明の食品トレイ破砕器は、家庭内や事業所内で使用できる食品トレイ破砕器を目指して開発したものであるが、本発明の食品トレイ破砕器の装置を大型化して、食品トレイに限らず他の廃棄物の処理に適用することも可能である。また。本発明の食品トレイ破砕器を直列あるいは並列に複数段配置して、廃棄物処理工場等で使用する大型の破砕器とすることも可能である。
【符号の説明】
【００５１】
１  切断カッターの躯体
２  切断刃
３  切断部挿入路
４  切断部挿入口
１０  第一の押圧手段
１１  固定プレート
１２  第一の押圧プレート
１４  ペダル
２０  第二の押圧手段
２１  第二の押圧プレート
２４  ペダル
１００  細断部
１０１  多角柱回転軸
１０２  多角柱回転軸
１０３  多角柱回転柱
１０４  多角柱回転軸
１１０  電動回転軸
１１１  円柱端部
１１２  円柱端部
１１３  円柱端部
１１４  円柱端部
１２１  切断刃
１２２  ボルト
１２３  ナット
１２４  開口部
１２５  固定部
１３０  ベアリング
１３１  ベアリング
１３２  ベアリング
１３３  ベアリング
１３４  ベアリング
１４０  電動歯車
１４１  歯車
１４２  歯車
１４３  歯車
１４４  歯車
１５０  電動機
１６０  電動機タイマー
１７１  駆動スイッチ
１７２  停止スイッチ
２００  移動部
２０１  円柱回転軸
２０２  円柱回転軸
２１１  円柱端部
２１２  円柱端部
２２１  穿刺針
２２２  穿刺針
２３０  連結腕
２３１  回転軸
２３２  回転つまみ
２４１  歯車
２４２  歯車
３００  挿入部
３０１  右挿入板
３０２  左挿入板
４００  筐体部
４０１  正面部
４０２  左側面部
４０３  裏面部
４０４  右側面部
５００  食品トレイ
５０１  細断された食品トレイ
【図１】
2018187588.tif 000003
【図２】
2018187588.tif 000004
【図３】
2018187588.tif 000005
【図４】
2018187588.tif 000006
【図５】
2018187588.tif 000007
【図６】
2018187588.tif 000008
【図７】
2018187588.tif 000009
【図８】
2018187588.tif 000010